(57)【要約】【課題】一室の広い範囲において、床板を折り畳みオープンにした時、吹き抜けを形成すると共に、クローズした時は部屋として使用でき、多目的に使用できる開口床を提案する。【解決手段】天井を折り畳み、可動可能な床とする開口床であって、複数の床板を水平方向に折り畳み、天井を開口してなることを特徴とする。【選択図】  図１
2004346721.tif 000002
【特許請求の範囲】
【請求項１】
天井を折り畳み、可動可能な床とする開口床であって、複数の床板を水平方向に折り畳み、天井を開口してなることを特徴とする開口床。
【請求項２】
床板の両側に、スライド具を設けてなることを特徴とする請求項１記載の開口床。
【請求項３】
床板の下面に補強用の梁を設けてなることを特徴とする請求項１又は２記載の開口床。
【請求項４】
一室の全床面を折り畳み可能な床としてなることを特徴とする請求項１、２又は３記載の開口床。
【請求項５】
床板を左右に折り畳み可能とすることを特徴とする請求項１、２、３又は４記載の開口床。
【請求項６】
床板を着脱自在に設けてなることを特徴とする請求項１、２、３、４又は５記載の開口床。
【請求項７】
天井を跳ね上げ、可動可能な床とする開口床であって、複数の床板を上方に跳ね上げ、天井を開口してなることを特徴とする開口床。
【請求項８】
跳ね上げるための跳ね上げ具を設けてなることを特徴とする請求項７記載の開口床。
【発明の詳細な説明】
【０００１】
【発明の属する技術分野】
本発明は、特に夏季において、吹き抜けの開放感を味わうことができ、冬季には天井（床）として使用することにより、暖房効果を得ることができ、多目的に使用できる開口床に関するものである。
【０００２】
【従来の技術】
従来の技術として、四隅の柱の上下端を柱で連結した略直方体状の骨組みを有する複数の建物ユニットで形成されたユニット式建物であって、前記複数の建物ユニットとして、四隅の柱の上下端を梁で連結した略直方体状の骨組みを有するとともに、この骨組みの梁の少なくとも１つがその中間部分に平面視でコ字形状に折れ曲がった折曲部を有する吹抜用建物ユニットを含み、前記折曲部の内側には、吹き抜け空間が設けられていることを特徴とするユニット式建物がある。（特許文献１参照）
【０００３】
【特許文献１】
特開２０００−１６０６９３号公報（請求項３、図１）
【０００４】
【発明が解決しようとする課題】
上記従来の技術では、骨組みの梁の少なくとも１つがその中間部分に平面視でコ字形状に折れ曲がった折曲部を有する吹抜用建物ユニットであり、一部分のみ吹き抜け空間を設け、全面を吹き抜けとして使用するには問題がある。
また、跳ね上げる機能もなく、跳ね上げ量を調整できるものではない。
【０００５】
本発明は、上記の問題点に鑑みなされたもので、一室の広い範囲において、床板を折り畳みオープンにした時、吹き抜けを形成すると共に、クローズした時は部屋として使用でき、多目的に使用できる開口床を提案することを目的とする。
【０００６】
【課題を解決するための手段】
上記課題を解決するための手段として、天井を折り畳み、可動可能な床とする開口床であって、複数の床板を水平方向に折り畳み、天井を開口してなること。また、床板の両側に、スライド具を設けてなること。床板の下面に補強用の梁を設けてなること。さらに、一室の全床面を折り畳み可能な床としてなること。床板を左右に折り畳み可能とすること。床板を着脱自在に設けてなること。その上、天井を跳ね上げ、可動可能な床とする開口床であって、複数の床板を上方に跳ね上げ、天井を開口してなること。跳ね上げるための跳ね上げ具を設けてなることを特徴とする。
【０００７】
【発明の実施の形態】
以下、本発明の開口床について、図面に基づいて説明する。
開口床１は、天井を折り畳み、可動可能な床であって、４枚の床板２ａを左右に２枚ずつ、蝶番２ｂにて開閉自在に形成すると共に、床板２ａ―――の両側に、ガイドレール２ｃ上を移動するローラーによるスライド具２ｄを設けてなるものである。
【０００８】
上記のように構成した開口床１について、使用例を下記に述べる。
例えば、２階の建物ＴＭのリビングＲの天井Ｔ（床）を開閉自在に形成するもので、天井Ｔの両側にガイドレール２ｃを設置し、該ガイドレール２ｃにスライド具２ｄを設置すべく、床板２ａ―――を上方より取り付ける。
この状態で、蝶番２ｂにて床板２ａ―――を水平方向に広げることにより、天井Ｔ（床）となり、２階を部屋Ｈ（独立した一室）として使用できるものである。
例えば、書斎、趣味の部屋、泊り客部屋、子供部屋等に利用できる。
また、床板２ａ―――を左右方向に折り畳むことにより、天井Ｔが開口し、窓Ｍからの外光ＫをリビングＲ内に入れることができると共に、吹き抜けを形成することにより開放感を味わうことができるものである。
さらに、床板２ａはガイドレール２ｃより取り外せるため、全面開放できる。
【０００９】
なお、必要に応じて床板２ａの下面に補強用の梁２ｅを設けてもよく、強度的な問題を加味しなければならないが、中央に１本設けるのが望ましい。
また、床板２ａは４枚に限定することなく、６枚・８枚等も考えられる。
さらに、スライド具２ｄもローラーに限定するものではなく、同様な機能を有するものであれば他の形態のものでもよい。
さらにまた、床板２ａをクローズする時、引っ掛け金具と棒を使用することも一考である。
【００１０】
つぎに、他の実施例を説明する。
開口床２１は、天井を跳ね上げ、可動可能な床であって、四角形状の４枚の取っ手２２ａ１を設けた床板２２ａを平面に設け、両側に設けた支持材２２ｂに蝶番２２ｃにて床板２２ａを開閉自在に設けてなるもので、跳ね上げるためのガススプリングによる跳ね上げ具３を梁２２ｅに４箇所設けてなるものである。
【００１１】
使用方法としては、取っ手２２ａ１に引っ掛け棒（図示せず）を差し込み、上方に引き上げることにより各跳ね上げ具３により各床板２２ａを押し上げ、開口するものである。
【００１２】
なお、跳ね上げ具３はガススプリング等に限定せず、他のものでもよく、段階的に床板の角度を設定できるものも一考である。
また、４枚の床板２２ａを全部跳ね上げてもよいが、対角の２枚のみでもよく、自由に行えばよい。
さらに、床板２２ａの形状も５角形等、多角形状に形成してもよい。
【００１３】
【発明の効果】
１）、開口床によればオープン時においては、一般住宅や集合住宅の吹き抜けとして使用でき、採光や開放感を得ることができ、かつ、通風（夏、涼しい）もよく、快適な空間を得ることができる。
２）、クローズ時においては、特に冬において暖房効率を上げることができ、独立した一室として、書斎・趣味の部屋・泊り客部屋・子供部屋等に利用でき、多目的に使用できる。
３）、スライド具を設けることにより、床板を水平方向にスムーズに折り畳みできる。
４）、一室全床面を折り畳んで使用できるため、吹き抜けの空間を大きく取ることができ、より一層開放感等を味わうことができる。
５）、跳ね上げ具により、より簡単に天井（床）を開口することができる。
６）、必要な床板のみを跳ね上げることができ、用途に合せて使用できる。
【図面の簡単な説明】
【図１】本発明の第１実施例を示す開口床の平面図。
【図２】本発明の第１実施例を示す開口床のオープン時の一部縦断正面図。
【図３】本発明の第１実施例を示す開口床のクローズ時の一部縦断正面図。
【図４】本発明の第１実施例を示す開口床のオープン使用状態の正面図。
【図５】本発明の第１実施例を示す開口床のオープン使用状態の平面図。
【図６】本発明の第１実施例を示す開口床のクローズ使用状態の平面図。
【図７】本発明の第２実施例を示す開口床のオープン時の一部縦断正面図。
【図８】本発明の第３実施例を示す開口床の平面図。
【図９】本発明の第３実施例を示す開口床のオープン時の一部縦断正面図。
【符号の説明】
１―――開口床
２ａ――床板
２ｂ――蝶番
２ｃ――ガイドレール
２ｄ――スライド具
２ｅ――梁
Ｔ―――天井
Ｈ―――部屋
【図１】
2004346721.tif 000003
【図２】
2004346721.tif 000004
【図３】
2004346721.tif 000005
【図４】
2004346721.tif 000006
【図５】
2004346721.tif 000007
【図６】
2004346721.tif 000008
【図７】
2004346721.tif 000009
【図８】
2004346721.tif 000010
【図９】
2004346721.tif 000011